(57)【要約】【課題】元画像を複写し、又は元画像に対して画像変換を実施して元画像から派生画像を生成した際に、元画像と派生画像との関係が分かるようにする。【解決手段】親画像（元画像）を複写し、又は元画像に対して画像変換を実施して元画像から派生する派生画像を作成記録する画像処理装置である。親画像から派生した画像１を記録する際には、画像１固有のユニークなＩＤ情報を、画像フォーマットのヘッダ部分の領域１６に記録するとともに、親画像のＩＤ情報を領域１７に記録する。同様に、画像１から派生した画像２を記録する際には、領域１６に画像２のＩＤ情報を記録するとともに、画像１に記録されているＩＤ情報（この場合には、画像１のＩＤ情報と、親画像のＩＤ情報）を領域１７に記録する。画像２から派生した画像３を記録する際には、領域１６に画像３のＩＤ情報を記録するとともに、画像２に記録されているＩＤ情報を領域１７に記録する。【選択図】　　　　図７
2004120280.tif 000002
【特許請求の範囲】
【請求項１】
元画像を複写し、又は元画像に対して画像変換を実施して元画像から派生する派生画像を作成記録する画像処理装置において、
前記派生画像に対して新たな画像固有の識別情報を作成する手段と、
前記派生画像とともに前記作成した識別情報を関連付けて記録する第１の記録手段と、
前記派生画像の識別情報を元画像に追記する第２の記録手段と、
を備えたことを特徴とする画像処理装置。
【請求項２】
元画像を複写し、又は元画像に対して画像変換を実施して元画像から派生する派生画像を作成記録する画像処理装置において、
前記派生画像に対して新たな画像固有の識別情報を作成する手段と、
前記派生画像とともに前記作成した識別情報及び前記元画像に記録されている識別情報を関連付けて記録する第１の記録手段と、
を備えたことを特徴とする画像処理装置。
【請求項３】
元画像を複写し、又は元画像に対して画像変換を実施して元画像から派生する派生画像を作成記録する画像処理装置において、
前記派生画像に対して新たな画像固有の識別情報を作成する手段と、
前記派生画像とともに前記作成した識別情報及び前記元画像に記録されている識別情報を関連付けて記録する第１の記録手段と、
前記派生画像の識別情報を元画像に追記する第２の記録手段と、
を備えたことを特徴とする画像処理装置。
【請求項４】
前記第１の記録手段は、派生画像が記録される画像フォーマットのヘッダ部分に該派生画像の識別情報を記録するための第１の領域と元画像に記録されている識別情報を記録するための第２の領域とを設け、前記第１の領域に派生画像の識別情報を記録するとともに、第２の領域に元画像に記録されている１乃至複数の識別情報を記録することを特徴とする請求項２又は３の画像処理装置。
【請求項５】
前記第２の記録手段は、元画像が記録される画像フォーマットのヘッダ部分に設けられている元画像の識別情報が記録される第１の領域とは別の第２の領域に派生画像の識別情報を追記することを特徴とする請求項１又は３の画像処理装置。
【発明の詳細な説明】
【０００１】
【発明の属する技術分野】
本発明は、画像処理装置に係り、特に画像を複写、又は、画像に対して画像変換を実施する画像処理装置に関する。
【０００２】
【従来の技術】
従来の画像記録システムでは、画像データのファイルを第１の記録媒体から第２の記録媒体に転送する時に、転送しようとするファイルの固有のコードと第２の記録媒体に記録されているファイルの固有のコードとを比較することによって両ファイルが同一であるか否かを判別し、その結果に基づいて、両ファイルが同一のファイルである時は、転送しようとするファイルの転送をスキップするようにしている（例えば、特許文献１参照）。
【０００３】
また、従来の画像取得方法、画像情報送信装置及び画像情報送信システムでは、画像情報送信側にて複数の画像を画像の性質を示すパラメータごとに分類して登録するためのディレクトリを前記パラメータごとに生成して必要なファイル名を登録し、画像情報受信側にて前記生成されたディレクトリの情報に基づいて所望のパラメータの所望の画像ファイルを選択して前記画像情報送信側から所望の画像ファイルの画像を受信することが可能となっている。（例えば、特許文献２参照）。
【０００４】
また、内容が似ている複数のデジタル記録画像においては、その画像を見ただけでは同一の画像（ファイルコピーされた画像）であるか否かを容易に判断することができないという不具合に鑑みて、Ｅｘｉｆ２．２の画像記録に関する規格では、画像作成者が電子カメラや画像の編集ソフトウェアを用いて画像を複製した際に、画像のフォーマット中に「その画像に対して全世界で唯一となるようなＩＤ」を付加し、これによって、同一画像の判別を可能としている。
【０００５】
【特許文献１】
特開平１１−２３４６１５号公報（第１−３頁、第２４図）
【０００６】
【特許文献２】
特開２００１−２３０９９９号公報（第１−３頁、第１図）
【０００７】
【発明が解決しようとする課題】
しかしながら、従来の特開平１１−２３４６１５号の公報に示されている画像記録システムでは、画像に対して編集等の何らかの操作を行った場合には異なるＩＤが改めて付与されてしまうので、同号の公報に示されているようなデジタルカメラと記録媒体間というような単純な伝送系では有用であるかもしれないが、今後普及してゆくと思われる携帯電話やＰＤＡ（Ｐｅｒｓｏｎａｌ　Ｄａｔａ　Ａｓｓｉｓｔａｎｃｅ）といった装置間で画像を送受信する際には、以下のような不具合を生じることとなる。
【０００８】
通常携帯電話やＰＤＡといった装置では、それぞれの装置の表示画面の機能的制限によって、取り扱う画像のサイズ（画素数や色の階調）が異なることが多い。例えば電子カメラで撮像した画像の画素数が１２８０×９６０であって各画素における階調が２４ビットであっても、表示可能な画素数が１６０×１２０で階調が８ビットの携帯電話にその画像を転送する際には、画素数と階調を減少させるリサイズ処理を行って携帯電話の表示能力に合った画像を送信する画像変換の処理が必要となる。
【０００９】
また例えば電子カメラが、表示可能な画素数が３２０×２４０で階調が１６ビットのＰＤＡに画像を送信する場合には、画素数と階調を減少させるリサイズ処理を行ってＰＤＡの表示能力に合った画像を送信する必要がある。このように各種の装置を経由して、それぞれの装置において取り扱うのに容易な画像サイズにリサイズされた画像が、利用者の画像処理装置（パソコン等）に蓄積されてくると、シーンが同一（元の画像が同一）であるにもかかわらず、画像プロパティ（画像の画素数や階調、画像の圧縮率、画像のフォーマット等）が異なる複製画像等が多数存在することになる。このように、元の画像とその複製画像等が多数利用者の画像処理装置に蓄積された状態では、利用者が画像を検索する際に煩わしく不便である。
【００１０】
したがって、従来の特開平１１−２３４６１５号の公報に示されている画像記録システムを用いると、元の画像とその複製画像毎に異なる固有のＩＤが付与されてしまうため、電子カメラ、携帯電話、ＰＤＡといった種々の装置から種々の画像を取得してパソコン等の画像処理装置に蓄積すると、同一のシーンに対して複数の画像が重複して蓄積されることとなり、たいへん冗長な記録状態が発生してしまう。利用者が、蓄積されている画像を一覧表示するなどして閲覧すると、同じような複製画像が次々と登場するため非常に画像を管理しづらく、画像の整理も面倒となるという不具合を生じている。
【００１１】
すなわち、画像の流通経路が複数経路あり、その過程においてシーンには変更が無い画像（利用者から見ると同一画像と認識できる画像）であるものの、何らかの画像処理が行われている場合には対処することができない。
【００１２】
また、特開２００１−２３０９９９号の公報に記載されている発明を用いても、上記の不具合を解消することはできないという不具合を生じていた。
【００１３】
また、従来からＥｘｉｆ２．２の規格にて実施しているように、「その画像に対して全世界で唯一となるようなＩＤ」を付与する方法を用いても、複写元の画像を特定することができず、また、その画像がどの画像から派生したものかが明確に判別することができないという不具合を生じていた。
【００１４】
本発明はこのような事情に鑑みてなされたもので、元画像を複写し、又は元画像に対して画像変換を実施して元画像から派生画像を生成した際に、元画像と派生画像との関係が分かり、どの画像が元画像であるか、また、派生画像はどの元画像から派生したかを明確に記録することができる画像処理装置を提供することを目的としている。
【００１５】
【課題を解決するための手段】
前記目的を達成するために請求項１に係る発明は、元画像を複写し、又は元画像に対して画像変換を実施して元画像から派生する派生画像を作成記録する画像処理装置において、前記派生画像に対して新たな画像固有の識別情報を作成する手段と、前記派生画像とともに前記作成した識別情報を関連付けて記録する第１の記録手段と、前記派生画像の識別情報を元画像に追記する第２の記録手段と、を備えたことを特徴としている。
【００１６】
本発明によれば、元画像を複写又は画像変換して派生した派生画像に対して新たな画像固有の識別情報を付与し、該新たな画像固有の識別情報を元画像に追記するようにしたので、元画像とその元画像から派生した派生画像との関係が分かる。従って、画像処理が施されていない生データのように、それだけでは可視化することができない画像データに対して適宜の画像処理を施して可視化不可能な画像データを可視化可能な画像データに変換した場合であっても、可視化変換前の元画像と可視化変換後の派生画像との関連も分かる。
【００１７】
請求項２に係る発明は、元画像を複写し、又は元画像に対して画像変換を実施して元画像から派生する派生画像を作成記録する画像処理装置において、前記派生画像に対して新たな画像固有の識別情報を作成する手段と、前記派生画像とともに前記作成した識別情報及び前記元画像に記録されている識別情報を関連付けて記録する第１の記録手段と、を備えたことを特徴としている。
【００１８】
即ち、元画像から作成された派生画像の場合には、その派生画像固有の識別情報の他に、元画像に記録されている識別情報も記録するようにしたため、派生画像と元画像との関係を知ることができる。
【００１９】
請求項３に係る発明は、元画像を複写し、又は元画像に対して画像変換を実施して元画像から派生する派生画像を作成記録する画像処理装置において、前記派生画像に対して新たな画像固有の識別情報を作成する手段と、前記派生画像とともに前記作成した識別情報及び前記元画像に記録されている識別情報を関連付けて記録する第１の記録手段と、前記派生画像の識別情報を元画像に追記する第２の記録手段と、を備えたことを特徴としている。
【００２０】
請求項３に係る発明によれば、派生画像と元画像との関係を知ることができ、派生画像から元画像を知ることができるとともに、元画像から派生画像を知ることができる。
【００２１】
請求項４に示すように前記第１の記録手段は、派生画像が記録される画像フォーマットのヘッダ部分に該派生画像の識別情報を記録するための第１の領域と元画像に記録されている識別情報を記録するための第２の領域とを設け、前記第１の領域に派生画像の識別情報を記録するとともに、第２の領域に元画像に記録されている１乃至複数の識別情報を記録することを特徴としている。
【００２２】
請求項５に示すように前記第２の記録手段は、元画像が記録される画像フォーマットのヘッダ部分に設けられている元画像の識別情報が記録される第１の領域とは別の第２の領域に派生画像の識別情報を追記することを特徴としている。
【００２３】
【発明の実施の形態】
以下添付図面に従って本発明に係る画像処理装置の好ましい実施の形態について詳説する。
【００２４】
図１に画像処理システムの構成例を示す。
【００２５】
同図に示すように画像処理システムには、被写体像を撮像するとともに撮像した画像に対して固有の識別情報を付与する電子カメラ１０と、電子カメラ１０やパソコン８０、携帯電話４０等の電子機器と画像の送受信をすることが可能なＰＤＡ３０と、電子カメラ１０やＰＤＡ３０若しくはパソコン８０等の電子機器と画像の送受信をすることが可能な携帯電話４０と、利用者が最終的に画像を蓄積するパソコン８０とが示されている。
【００２６】
これら電子カメラ１０、ＰＤＡ３０、携帯電話４０、パソコン８０等の電子機器はいずれも無線や有線の通信手段又は記録媒体を介して画像を取得して表示手段に表示したり、取得した画像を記録手段に記録する等、画像を取り扱うことが可能となっている。
【００２７】
各電子機器で扱うことが可能な画像の画素数と画像の圧縮処理について、以下の表１に示すように設定した例で説明する。
【００２８】
【表１】
2004120280.tif 000003
【００２９】
前記表１によれば、電子カメラ１０から画像をパソコン８０に複写する際には、画像の画素数等のサイズを変更するリサイズ処理は不要である。ところが、電子カメラ１０からＰＤＡ３０や携帯電話４０等の電子機器に画像を複写する際には、複写先の電子機器で扱える画素数に対してそれぞれ制限があるので、複写元の電子カメラ１０又は受信側のＰＤＡ３０若しくは携帯電話４０にて扱うことが可能な画素数に変換するリサイズ処理を行う必要がある。
【００３０】
例えば電子カメラ１０で撮像した１２８０×９６０（縦横比＝３：４）の画素数を備えた画像をＰＤＡ３０に複写する際には、１２８０×９６０の画素数をＰＤＡ３０にて扱える６４０×４８０の画素数に自動で画像変換するリサイズ処理を行ってから送信する。また、電子カメラ１０で撮像した画像を携帯電話４０に複写する際には、１２８０×９６０の画素数を携帯電話４０にて扱える１２０×１２０の画素数に自動でリサイズ処理するとともに、画像の左右の部分を削除する処理を行ってから送信する。
【００３１】
また、ＰＤＡ３０から電子カメラ１０及びパソコン８０に複写を送信する際には、送信する画像をリサイズする必要はないが、携帯電話４０に対して画像を複写する際には、ＰＤＡ３０で扱っている６４０×４８０の画素数を携帯電話４０にて扱える１２０×１２０の画素数に自動で画像変換するリサイズ処理を実施するとともに、画像の左右の部分を削除する処理を行ってから送信する。
【００３２】
また、携帯電話４０から電子カメラ１０、パソコン８０、及びＰＤＡ３０に画像を複写する際には、複写する画像を画像変換する必要はなく、携帯電話４０にて扱っている１２０×１２０の画素数の画像をそのまま送信すればよい。
【００３３】
したがって、例えば電子カメラ１０、ＰＤＡ３０、及び携帯電話４０から同一の元画像（同一のシーンの画像）に対してリサイズ等の画像処理を行った画像がパソコン８０に送信されて、そのパソコン８０内に蓄積されるという可能性が考えられる。従来の技術では、パソコン８０内に上記の３種類の画像ファイルがそれぞれ蓄積されてしまい、利用者にとって画像の取り扱いが煩雑になってしまう原因となる。本来パソコン８０内に上記の３種類の画像がそれぞれ記録されている必要は全くなく、電子カメラ１０から取得した１２８０×９６０の画素数の画像が１つ存在すればこと足りる。
【００３４】
本発明によれば、複写又は変換後の画像に対して付与した新たな画像固有の識別情報と、複写又は画像変換前の画像とを関連付けて記録するようにしたので、画像に対して変換処理や複製を行った場合であっても、元の画像と編集、画像変換又は複写後の画像とを関連付けることが可能となり、不要な画像を消去する判断を行うことが可能となる。
【００３５】
また本発明によれば、複写又は変換後の画像に対して付与した新たな画像固有の識別情報と、複写又は画像変換前の画像固有の識別情報とを新たな画像と関連付けて記録するようにしたので、画像に対して変換処理や複製を行った場合であっても、元の画像と編集、画像変換又は複写後の画像とを関連付けることが可能となり、不要な画像を消去する際の判断を行うことが可能となる。
【００３６】
図２に電子カメラの信号処理系ブロック図を示す。
【００３７】
撮像手段を備えた画像処理装置の一形態である電子カメラ１０の画像処理部には、被写体の像を受光面に結像させて光電変換し、画像信号として出力する撮像手段１５０と、画像サイズの変更、シャープネス補正、輪郭処理、コントラスト補正等の画像変換処理を行う画像処理手段１５３と、アナログの画像信号をデジタルの画像データに変換するＡ／Ｄ変換器１５４とが設けられている。
【００３８】
また、画像データ等の情報を通信によって他の通信器機と送受信する電子カメラ１０の通信手段は、画像データ等の情報を電波等の搬送波に乗せて送信又は受信する近距離用の送受信手段１５７（受信手段の機能を含む）と、搬送波及び画像データ等を送受信するアンテナ１５６と、画像データ等の情報を通信ケーブルを介して他の通信器機と送受信する通信コネクタ１６２と、電子カメラ１０を装着するクレードルを介して他の通信器機と情報の送受信を行うクレードルコネクタ１６３とから構成されている。
【００３９】
また、電子カメラ１０には、画像データ等の情報をＪＰＥＧやモーションＪＰＥＧに代表される手法で圧縮処理又は間引き処理を施したり圧縮した画像データ等を伸張展開処理する圧縮伸張手段１６７と、表示手段１６８に表示する各種の文字やメッセージのデータ等を画像とともにオンスクリーンディスプレイするＯＳＤ１６９と、撮像して得た画像データに対してホワイトバランス処理を実施したり、ガンマ変換、ＹＣ変換処理、画素数の変換処理、電子ズーム処理、トリミング処理等を実施する信号処理手段１７０と、表示用の画像データを一時的に記憶しておくフレームメモリ１７１と、デジタルの画像データを表示用のコンポジット信号等に変換するＤ／Ａ変換器１７２とが設けられている。
【００４０】
また、電子カメラ１０には、電源スイッチやレリーズボタン、通信ボタン、送信ボタン、ファンクションスイッチ、十字ボタン、確定スイッチ、モード切り換えスイッチ等が設けられている入力手段１７４と、入力手段１７４による入力情報及びＬＥＤ等の表示手段用の情報を入出力するインターフェースであるＩ／Ｏ１７５と、記録媒体１７７を着脱可能に装着する記録媒体装着部１７８と、記録媒体１７７に対して画像データ等の情報を記録したり読み出したりする記録媒体インターフェース１７９とが設けられている。なお、記録媒体１７７は、メモリーカード等の半導体や、ＭＯ等に代表される磁気記録式、光記録式等に代表される着脱可能な記録媒体である。
【００４１】
また電子カメラ１０には、電子カメラ１０全体の制御を行うとともに画像データのサンプリングタイミング制御、画像データの記録制御、画像データの図形認識、電子カメラ１０の機種情報又は機器固有の識別情報の読み込み処理、通信制御、画像及び音声の記録に関する制御、表示制御等の制御を行う情報処理手段１８０（識別情報付与手段、元画像記録手段、画像記録手段の機能を含む）と、情報の書き換えが可能であるとともに記憶した調整用の各種定数等の情報を電源遮断後も記憶し続けることが可能な不揮発性メモリ１８２と、電子カメラ１０の製造者名、機種名、製造番号等の固有の識別情報、動作プログラム、各定数、表示に関する情報等が記憶されているＲＯＭ１８３と、プログラム実行時の作業領域となる高速読み書き可能な記憶手段であるＲＡＭ１８４とが設けられている。
【００４２】
また、電子カメラ１０には、時を刻むカレンダ時計１９０と、電子カメラ１０を駆動するための各種電力を供給する電源１９１と、外部の電源から電力の供給を受ける電源コネクタ１９２と、撮像時に被写体に光を発光して光量不足を補う発光手段１９３と、該発光手段１９３の発光タイミングや発光する光量の調節を行う発光制御手段１９４とが設けられている。
【００４３】
電子カメラ１０の情報処理手段１８０とその周辺の各回路はバス１９９で接続されており、互いに情報の伝達を高速で行うことが可能であるとともに、情報処理手段１８０が実行する処理プログラムに基づいて、周辺の各回路を制御することが可能となっている。
【００４４】
上記のとおり構成された電子カメラ１０の撮像処理について説明する。
【００４５】
撮像する像は電子カメラ１０に設けられている撮像レンズによって撮像手段１５０の受光面に結像され、結像した被写体像は光電変換されて画像処理手段１５３に出力される。画像処理手段１５３では、この画像信号に対して相関二重サンプリングや増幅、ノイズの低減処理等の画像処理を実施し、Ａ／Ｄ変換器１５４にてデジタルデータに変換する。
【００４６】
該デジタルデータに変換した画像データは情報処理手段１８０の指令により信号処理手段１７０に転送され、画像のホワイトバランスやガンマ補正、ＹＣ変換、ズーム処理、画素数変換処理等の画像処理が施された後に、一時期ＶＲＡＭ等のフレームメモリ１７１に記憶される。
【００４７】
情報処理手段１８０は、フレームメモリ１７１に記憶されている画像データを逐次Ｄ／Ａ変換器１７２に伝達する指示を行い、ＯＳＤ１６９から発生されるキャラクタ等の情報とともに表示手段１６８に表示している。
【００４８】
利用者が、入力手段１７４に設けられている撮像指示のためのレリーズボタンを押すと、情報処理手段１８０は被写体を撮像するモードに入る。すると情報処理手段１８０はＡ／Ｄ変換器１５４にてデジタルデータに変換された例えばＲＧＢ各原色に対して１２ビットの階調を備えた画像データをＲＡＭ１８４に記録する。
【００４９】
画像を記録媒体１７７に記録する場合には、前記ＲＡＭ１８４に記憶されている画像を逐次読み出して信号処理手段１７０に転送して、画像のホワイトバランスやガンマ補正、ＹＣ変換、ズーム処理、画素数変換処理等の画像処理を施して各色の階調変換、画像サイズの変換処理等を実施した後に、圧縮伸張手段１６７に転送される。
【００５０】
圧縮伸張手段１６７にて所定の条件で圧縮処理が実施された画像データは、情報処理手段１８０の指示に基づいて再び一時期ＲＡＭ１８４のＦＩＬＥ用ワーク領域に一時記憶され、その後に記録用の画像データに変換した後に記録媒体インターフェース１７９に対して画像データを出力し、順次記録媒体１７７に記録する処理を行う。
【００５１】
またこの時情報処理手段１８０は、所定のアルゴリズムに基づいて撮像した画像に固有の識別情報を生成して、画像とともに記録媒体１７７等の記録手段に記録する処理を行う。また、撮像手段１５０から出力された画像信号をＡ／Ｄ変換した後の生データ（ＣＣＤ　ＲＡＷ　ＤＡＴＡ）を、固有の識別情報とともに記録手段に記録するようにしてもよい。
【００５２】
なお、上記の説明では画像処理装置を撮像手段を備えた電子カメラとした実施の形態で説明したが、本発明はこれに限定されるものではなく、画像を複写したり画像変換を実施することが可能な装置であれば、ＰＤＡ３０や携帯電話４０、パソコン８０等の画像処理装置であっても本発明の目的を達成することが可能である。
【００５３】
前記情報処理手段１８０は、複写又は変換後の画像に対して新たな画像固有の識別情報を付与することが可能となっている。
【００５４】
また、前記送受信手段１５７は、複写又は変換後の画像に対して付与した新たな画像固有の識別情報をパソコン８０、ＰＤＡ３０、携帯電話４０等の他の通信機器から受信することが可能となっている。
【００５５】
また、前記情報処理手段１８０は、前記付与した新たな画像固有の識別情報と複写又は画像変換前の画像とを関連付けて記録することが可能となっている。
【００５６】
また、前記情報処理手段１８０は、前記付与した新たな画像固有の識別情報と、複写前又は変換前の画像固有の識別情報とを、新たな画像と関連付けて記録することが可能となっている。
【００５７】
図３に、ＰＤＡの信号処理系ブロック図を示す。
【００５８】
同図によれば、ＰＤＡ３０の情報送受信部には、近距離用無線通信手段又は遠距離用無線ネットワーク通信手段として用いるアンテナ３５６と、情報を無線又は有線により送受信するために所定の形式にデータを変換する送受信手段３５７と、公衆回線３６０又は通信ネットワーク等の通信網を介して他の通信器機（携帯電話４０、パソコン８０、電子カメラ１０等）と情報の送受信を行うための有線の送受信手段３６５とが設けられている。
【００５９】
また、ＰＤＡ３０には、画像や文字等の情報を例えば６４０×４８０の解像度で表示する表示手段３６８と、情報処理手段３８０の指令に基づいて表示手段３６８に対して表示用の画像信号を出力する表示制御手段３６９と、利用者が入力手段３７４を介して入力した各種情報を読み取って後述する情報処理手段３８０に伝達したり、情報処理手段３８０からの指示に基づいてＬＥＤ等の通知手段に表示指令を出力するＩ／Ｏ３７５とが設けられている。
【００６０】
また、ＰＤＡ３０には、記録媒体３７７を着脱可能に装着する記録媒体装着部３７８と、記録媒体３７７に対して画像データ等の情報を記録したり読み出したりする記録媒体インターフェース３７９とが設けられている。なお、記録媒体３７７は、前記記録媒体１７７と同様の着脱可能な記録媒体である。
【００６１】
また、ＰＤＡ３０には、ＰＤＡ３０の全体の制御を行う情報処理手段（ＣＰＵ）３８０と、情報処理手段３８０を動作させるプログラムやＰＤＡ３０の製造社名、型式、シリアル番号等の各種定数が記録されているＲＯＭや情報処理手段３８０が処理を実行する際の作業領域となる記録手段であるＲＡＭとから構成されるメモリ３８１と、ＰＤＡ３０の処理に関する各種定数やネットワーク上の通信器機に通信接続する際のダイヤルアップ電話番号、属性情報、ＵＲＬ（Ｕｎｉｆｏｒｍ　Ｒｅｓｏｕｒｃｅ　Ｌｏｃａｔｏｒｓ　）、アドレス、サイトアドレス、ゲートウェイ情報ＤＮＳ（Ｄｏｍａｉｎ　Ｎａｍｅ　Ｓｙｓｔｅｍ）等の接続情報等の情報を記録する読み書き可能な半導体又はハードディスク等の記録手段３８６と、時刻を刻むカレンダ時計３９０とが設けられている。
【００６２】
ＰＤＡ３０内の情報処理手段３８０と、表示制御手段３６９、Ｉ／Ｏ３７５、メモリ３８１、記録手段３８６、カレンダ時計３９０等を含む各周辺回路はバス３９９で接続されており、情報処理手段３８０が実行する処理プログラムに基づいて各々の周辺回路を制御することが可能となっている。
【００６３】
近距離用の無線通信手段は、電波、超音波、赤外線等の光を搬送波に用いた通信手段である。電波を用いる場合には、無線ＬＡＮ（ローカルエリアネットワーク）等の無線通信の仕様に基づいてもよい。
【００６４】
なお、上記の説明では通信器機をＰＤＡ３０とした例で説明したが、記録手段、通信手段等を備えた通信器機であれば、携帯電話や電子手帳等の画像処理装置であってもよい。
【００６５】
図４は、携帯電話４０の信号処理系ブロック図である。
【００６６】
同図によれば、携帯電話４０の情報送受信部には、公衆回線と無線通信するためのアンテナ４５２、公衆回線用の送受信手段４５３及びリアルタイムにて送受信する情報を一時的に記憶する送受信バッファ４５４と、近距離用無線通信手段として用いるアンテナ４５６、送受信手段４５７及び送受信バッファ４５８とが設けられている。
【００６７】
また、携帯電話４０には、画像や文字等の情報を表示する表示手段４６８と、情報処理手段４８０の指令に基づいて例えば１２０×１２０の表示解像度を備えた表示手段４６８に対して表示用の画像信号を出力する表示制御手段４６９と、利用者が入力手段４７４を介して入力した各種情報を読み取って後述する情報処理手段４８０に伝達したり、情報処理手段４８０からの指示に基づいてＬＥＤ等の通知手段に表示指令を出力するＩ／Ｏ４７５とが設けられている。
【００６８】
また、携帯電話４０には、記録媒体４７７を着脱可能に装着する記録媒体装着部４７８と、記録媒体４７７に対して画像データ等の情報を記録したり読み出したりする記録媒体インターフェース４７９とが設けられている。
【００６９】
また、携帯電話４０には、携帯電話４０の全体の制御を行う情報処理手段（ＣＰＵ）４８０と、携帯電話４０の処理に関する各種定数やネットワーク上の通信器機に通信接続する際のダイヤルアップ電話番号、属性情報、ＵＲＬ、ＩＰアドレス、ゲートウェイ情報ＤＮＳ等の接続情報を記録する書き換え可能な不揮発性メモリ４８２と、情報処理手段４８０を動作させるプログラムや、携帯電話４０の製造者名、型式、シリアル番号等の各種定数が記録されているＲＯＭや情報処理手段４８０が処理を実行する際の作業領域となる記憶手段であるＲＡＭとから構成されるメモリ４８４と、時刻を刻むカレンダ時計４９０と、情報処理手段４８０を含む各回路に電源を供給する電源４９１とが設けられている。
【００７０】
また、携帯電話４０には、利用者が電話器として利用する際の受話器となるとともに音声を出力するスピーカ４９５と、情報処理手段４８０等が出力する音声データをアナログの音声信号に変換するとともに増幅してスピーカ４９５に出力するＤ／Ａ変換器４９６と、音声を入力して音声信号に変換するマイク４９７と、マイク４９７から入力した音声信号を増幅するとともに情報処理手段４８０等に送出する音声データに変換するＡ／Ｄ変換器４９８とが設けられている。
【００７１】
携帯電話４０内の情報処理手段４８０と、送受信バッファ４５４、送受信バッファ４５８、表示制御手段４６９、Ｉ／Ｏ４７５、記録媒体インターフェース４７９、不揮発性メモリ４８２、メモリ４８４、カレンダ時計４９０、Ｄ／Ａ変換器４９６、Ａ／Ｄ変換器４９８等を含む各周辺回路は、バス４９９で接続されており、情報処理手段４８０が実行する処理プログラムに基づいて各々の周辺回路を制御するとともに高速な情報の送受信を行うことが可能となっている。
【００７２】
近距離用の無線通信手段は、電波、超音波、赤外線等の光を搬送波に用いた通信手段である。電波を用いる場合には、無線ＬＡＮ等の無線通信の仕様に基づいてもよい。
【００７３】
なお、上記の説明では携帯電話を用いた例で説明したが、画像の複写や画像変換を実施することが可能な装置であれば、パソコン、電子手帳等の画像処理装置であってもよい。
【００７４】
図５は、パソコンの信号処理系のブロック図である。
【００７５】
同図によれば、パソコン８０の情報送受信部には、近距離用無線通信手段又は遠距離用無線ネットワーク通信手段として用いるアンテナ８５６と、情報を無線又は有線により送受信するために所定の形式にデータを変換する送受信手段８５７と、有線の通信手段を介して他の通信器機と情報の送受信を行うための送受信手段８６５とが設けられている。
【００７６】
また、パソコン８０には、画像や文字等の情報を１２８０×９６０以上の解像度で表示することが可能な表示手段８６８と、情報処理手段８８０の指令に基づいて表示手段８６８に対して表示用の画像信号を出力する表示制御手段８６９と、利用者が入力手段８７４を介して入力した各種情報を読み取って後述する情報処理手段８８０に伝達したり、情報処理手段８８０からの指示に基づいてＬＥＤ等の通知手段に表示指令を出力するＩ／Ｏ８７５とが設けられている。
【００７７】
また、パソコン８０には、記録媒体８７７を着脱可能に装着する記録媒体装着部８７８と、記録媒体８７７に対して画像データ等の情報を記録したり読み出したりする記録媒体インターフェース８７９とが設けられている。なお記録媒体８７７は、前記記録媒体１７７と同様の着脱可能な記録媒体である。
【００７８】
また、パソコン８０には、パソコン８０の全体の制御を行う情報処理手段（ＣＰＵ）８８０と、情報処理手段８８０を動作させるプログラムやパソコン８０の製造者名、型式、シリアル番号等の各種定数が記録されているＲＯＭや情報処理手段８８０が処理を実行する際の作業領域となる記録手段であるＲＡＭとから構成されるメモリ８８１と、パソコン８０の処理に関する各種定数やネットワーク上の通信器機に通信接続する際のダイヤルアップ電話番号、属性情報、ＵＲＬ、アドレス、サイトアドレス、ゲートウェイ情報ＤＮＳ等の接続情報等の情報を記録するハードディスク等の記録手段８８６と、時刻を刻むカレンダ時計８９０とが設けられている。
【００７９】
パソコン８０内の情報処理手段８８０と、表示制御手段８６９、Ｉ／Ｏ８７５、メモリ８８１、記録手段８８６、カレンダ時計８９０等を含む各周辺回路はバス８９９で接続されており、情報処理手段８８０が実行する処理プログラムに基づいて各々の周辺回路を制御することが可能となっている。
【００８０】
近距離用の無線通信手段は、電波、超音波、赤外線等の光を搬送波に用いた通信手段である。電波を用いる場合には、無線ＬＡＮ等の無線通信の仕様に基づいてもよい。
【００８１】
なお、上記の説明では通信器機をパソコン８０とした例で説明したが、画像の複写や画像変換を実施することが可能な装置であれば、パソコン、電子手帳等の画像処理装置であってもよい。また、電子カメラ１０がパソコン８０の機能を備えていてもよい。
【００８２】
図６に、電子カメラ１０で撮像した画像のファイル構造を示す。
【００８３】
同図に示すように、画像ファイル１２には、当該画像の付属情報１３が記載されているヘッダ部分と、当該画像の１２８０×９６０の画素数を備えた主画像１４が記載されている部分と、インデックス表示等に用いる主画像１４の縮小画像１５（サムネイル画像）の部分とが設けられている。
【００８４】
付属情報１３が記載されているヘッダ部分には、更に画像特定情報として、撮像、複写、又は画像変換を実施して付与された当該画像固有の識別情報を記載する、識別情報記録領域１６と、他の通信機器にて付与された複写又は画像変換を実施する前の親画像固有の識別情報を受信して記載する参照識別情報記録領域１７と、複写又は画像変換を実施して他の通信機器にて新たに子画像に対して付与された子画像識別情報記録領域１８とが設けられている。
【００８５】
これらの領域に記録されている識別情報は、例えば１２８ビットのデータから構成される画像固有の識別情報である。また、上記の各識別情報は、例えば専用の発番アルゴリズムにより算出する固有の識別情報であってもよいし、発番する装置の製造者名を示すＩＤ、装置の型式を示すＩＤ、装置のシリアル番号、画像の撮像又は生成時刻（最小単位は画像の最短撮像間隔又は最短生成間隔以下とする）から構成するようにしてもよい。
【００８６】
付属情報１３が記載されている部分には、更に画像プロパティ情報として、主画像１４の画素数情報１９と、一画素（ｐｅｌ　）あたりの平均情報量（ｂｉｔ　）等の圧縮率情報２０とが記載されている。なお、上記の各画像プロパティ情報の他にも、圧縮済の画像である旨若しくは非圧縮の画像である旨に関する情報、ＲＧＢ若しくはＹＣＣ等の画像のサンプリング後の情報量に関する情報、又は、画像データ量情報（画像ファイルのサイズ）等の情報が記載されていてもよい。
【００８７】
付属情報１３が記載されている部分には、更に撮影情報として、元画像を撮像又は生成した際の付帯情報を記載してもよい。図６に示す例では、主画像１４を撮像した日時を示す撮影年月日情報２１と、撮像時に電子カメラ１０の撮像モードを「ＮＯＭＡＬ」モードに設定して撮像した画像であることを示す撮影モード情報２２と、利用者が指定した主画像１４のタイトルが貼付されているタイトル情報２３との各種情報が記載されている。
【００８８】
また付属情報１３が記載されている部分には、撮像時に電子カメラ１０にて設定したホワイトバランスを調節するモードが記載されているホワイトバランス情報２４と、撮像時に電子カメラ１０にて設定されていた「ＡＵＴＯ」又は「ＭＡＮＵＡＬ」等の合焦モードに関する情報が記載されているフォーカス情報２５と、電子カメラ１０にて被写体像を撮像した位置を記載する撮影位置情報２６と、電子カメラ１０にて撮像する際に設定した補助光の発光モードを記載するストロボ情報２７とが記載されている。
【００８９】
図７に、複写又は画像変換後の画像に対して付与される識別情報記録領域１６と、親画像の取得元の機器にて付与された親画像固有の識別情報を記載する参照識別情報記録領域１７との詳細を示す。
【００９０】
なお図８は、画像の複写又は画像変換の流れを示す図である。
【００９１】
図７に示すように、親画像、画像１、画像２、画像３の各識別情報記録領域１６には、撮像、複写、又は画像変換を実施して付与された新たな画像固有の識別情報「Ｉｍａｇｅ　Ｕｎｉｑｕｅ　ＩＤ　」が記載されている。当該新たな画像固有の識別情報は、識別情報付与手段（情報処理手段１８０、３８０、４８０、８８０等）が付与する。
【００９２】
また、参照識別情報記録領域１７（図７には「Ｒｅｆ　ＩＤ」と記載してある）には、親画像、画像１、画像２等の複写又は変換前の元画像を記録していた機器にて付与された元画像固有の識別情報が記載されている。当該元画像固有の識別情報は、画像を記録する通信機器の情報処理手段１８０、３８０、４８０、８８０等が、送受信手段１５７、３５７、３６５、４５７、４５３、８５７、８６５等を介して受信し、新たな画像と関連付けて情報処理手段１８０等の画像記録手段が（例えば画像の付属情報として）記録手段に記録する。
【００９３】
このように、複写又は変換後の画像に対して新たな画像固有の識別情報を付与し、該新たな画像固有の識別情報と複写又は画像変換前の画像固有の識別情報とを新たな画像と関連付けて記録するようにしたので、画像に対して変換処理や複製を行った場合であっても、元の画像と、編集、画像変換又は複写後の画像とを関連付けることが可能となる。また、親画像から複写、又は画像変換を実施して子画像を生成する処理を、同一の画像処理装置内で実施することによって、撮像手段１５０（ＣＣＤ等）から出力された直後の可視化不可能な画像データ及び可視化変換した画像に対して固有の識別情報を付与して管理することが可能となり、可視化不可能な画像データを可視化可能な画像データに変換した場合であっても、可視化変換前の元の画像と可視化変換後の新たな画像とを関連付けることが可能となる。
【００９４】
図９に、複写又は画像変換後の画像に対して付与される識別情報記録領域１６と、子画像を生成した機器にて付与された子画像固有の識別情報を記載する子画像識別情報記録領域１８との詳細を示す。
【００９５】
なお図１０は、画像の複写又は画像変換の流れを示す図である。
【００９６】
図９に示すように、親画像、子画像１、子画像２、子画像３の各識別情報記録領域１６には、撮像、複写、又は画像変換を実施して付与された新たな画像固有の識別情報「Ｉｍａｇｅ　Ｕｎｉｑｕｅ　ＩＤ　」が記載されている。当該新たな画像固有の識別情報は、識別情報付与手段（情報処理手段１８０、３８０、４８０、８８０等）が付与する。
【００９７】
また、子画像識別情報記録領域１８（図９には「Ｃｈｉｌｄ　ＩＤ」と記載してある）には、子画像１、子画像２、子画像３等の複写又は変換後の子画像を記録した機器（例えば他の通信機器）にて付与された子画像固有の識別情報が記載されている。当該子画像固有の識別情報は、子画像を記録する機器の情報処理手段１８０、３８０、４８０、８８０等の識別情報付与手段が付与し、送受信手段１５７、３５７、３６５、４５７、４５３、８５７、８６５等の受信手段を介して送受信し、複写又は画像変換前の画像と関連付けて情報処理手段１８０等の元画像記録手段が（例えば画像の付属情報として）記録手段に記録する。
【００９８】
このように、複写又は変換前の親画像に対して新たな画像固有の識別情報を付与し、該新たな画像固有の識別情報と親画像とを関連付けて記録するようにしたので、画像に対して変換処理や複製を行った場合であっても、元の親画像と編集、画像変換又は複写後の子画像とを関連付けることが可能となる。また、親画像から子画像を複写、又は画像変換を実施する処理を、同一の画像処理装置内で実施することによって、撮像手段１５０（ＣＣＤ等）から出力された直後の可視化不可能な画像データ及び可視化変換した画像に対して複写又は変換後の固有の識別情報を付与して、相互の画像を関連付けて管理することが可能となる。
【００９９】
【発明の効果】
以上説明したように本発明に係る画像処理装置によれば、元画像を複写し、又は元画像に対して画像変換を実施して元画像から派生画像を生成した際に、元画像と派生画像との関係が分かるように記録することができ、これにより元画像から派生した派生画像を知ることができ、或いは派生画像はどの元画像から派生したかを確認することができる。
【図面の簡単な説明】
【図１】画像管理システムの構成例を示す図
【図２】電子カメラの信号処理系ブロック図
【図３】ＰＤＡの信号処理系ブロック図
【図４】携帯電話の信号処理系ブロック図
【図５】パソコンの信号処理系のブロック図
【図６】電子カメラで撮像した画像のファイル構造を示す図
【図７】識別情報記録領域と参照識別情報記録領域との詳細を示す図
【図８】画像の複写又は画像変換の流れを示す図
【図９】識別情報記録領域と子画像識別情報記録領域との詳細を示す図
【図１０】画像の複写又は画像変換の流れを示す図
【符号の説明】
１０…電子カメラ、３０…ＰＤＡ、４０…携帯電話、８０…パソコン、１５０…撮像手段、１５３…画像処理手段、１５６…アンテナ、１５７…送受信手段、１６２…通信コネクタ、１６３…クレードルコネクタ、１６７…圧縮伸張手段、１６８…表示手段、１７７…記録媒体、１７８…記録媒体装着部、１７９…記録媒体インターフェース、１８０…情報処理手段、１９９…バス、３５６…アンテナ、３５７…送受信手段、３５９…通信コネクタ、３６０…公衆回線、３６５…送受信手段、３６８…表示手段、３７７…記録媒体、３７８…記録媒体装着部、３７９…記録媒体インターフェース、３８０…情報処理手段、３９９…バス、４５２…アンテナ、４５３…送受信手段、４５６…アンテナ、４５７…送受信手段、４６８…表示手段、４７７…記録媒体、４７８…記録媒体装着部、４７９…記録媒体インターフェース、４８０…情報処理手段、４９９…バス、８５６…アンテナ、８５７…送受信手段、８５９…通信コネクタ、８６０…公衆回線、８６５…送受信手段、８６８…表示手段、８７７…記録媒体、８７８…記録媒体装着部、８７９…記録媒体インターフェース、８８０…情報処理手段、８９９…バス
【図１】
2004120280.tif 000004
【図２】
2004120280.tif 000005
【図３】
2004120280.tif 000006
【図４】
2004120280.tif 000007
【図５】
2004120280.tif 000008
【図６】
2004120280.tif 000009
【図７】
2004120280.tif 000010
【図８】
2004120280.tif 000011
【図９】
2004120280.tif 000012
【図１０】
2004120280.tif 000013